(57)【要約】【課題】搬送経路に対する作業に際して作業者に負担をかけることなく、重量が大きい大径ロール紙を用いる場合にも用紙の慣性力に起因する記録位置のずれなどの記録不良の発生を抑制し、良好な記録品質を確保すること。【解決手段】用紙保持部と記録部との間に設けられて用紙の幅方向に延出し、当該用紙保持部から当該記録部へ至る搬送経路中を搬送される用紙に対して当接する位置において搬送される用紙を屈曲させるダンパーシャフト３０１と、一端がプリンタ本体に設けられて、他端側が上下方向に弾性的に揺動可能な第１のダンパーアーム２０８ａと、を備えたプリンタにおいて、ダンパーシャフト３０１を、長さ方向の一端において第１のダンパーアーム２０８ａの他端側に対して回動可能に連結し、ダンパーシャフト３０１が第１のダンパーアーム２０８ａに対して回動することにより、搬送経路を外部に開放するようにした。【選択図】図５
2015193108.tif 000002
【特許請求の範囲】
【請求項１】
ロール状に巻回された長尺状の用紙を長さ方向に沿って外周側から引き出し可能に保持する用紙保持部と、
前記用紙保持部から引き出された用紙に対して記録動作をおこなう記録部と、
前記用紙保持部と前記記録部との間に設けられて前記用紙の幅方向に延出し、当該用紙保持部から当該記録部へ至る搬送経路中を搬送される用紙に対して当接し、当該当接する位置において前記搬送される用紙を屈曲させるダンパーシャフトと、
一端がプリンタ本体に設けられて、他端側が上下方向に弾性的に揺動可能な第１のダンパーアームと、
を備え、
前記ダンパーシャフトは、長さ方向の一端において前記第１のダンパーアームの他端側に対して回動可能に連結されており、前記第１のダンパーアームに対して回動することにより、前記搬送経路を外部に開放することを特徴とするプリンタ。
【請求項２】
前記用紙の幅方向に沿って前記搬送経路を間にして前記第１のダンパーアームに対向配置され、一端部に上端が開放された溝部が形成され、他端部が前記プリンタ本体に設けられて、当該一端部が上下方向に弾性的に揺動可能な第２のダンパーアームを備え、
前記ダンパーシャフトの一端は、当該ダンパーシャフトにおける長さ方向の他端を前記プリンタ本体より上方に移動させるように前記第１のダンパーアームの他端に対して回動可能に連結され、
前記ダンパーシャフトの他端は、当該他端を前記溝部の上方から当該溝部に嵌合させることによって前記第２のダンパーアームによって支持されることを特徴とする請求項１に記載のプリンタ。
【請求項３】
前記記録部は、前記用紙に対して上側から記録動作をおこなうプリントヘッドと、当該プリントヘッドに対向配置されて当該プリントヘッドによる記録動作がおこなわれる前記用紙を下側から支持するプラテンと、を備えたことを特徴とする請求項１または２に記載のプリンタ。
【発明の詳細な説明】
【技術分野】
【０００１】
この発明は、ロール紙を記録対象とするプリンタに関する。
【背景技術】
【０００２】
従来、ロール状に巻回された長尺状の用紙に対して記録動作をおこなうプリンタがあった。このようなプリンタにおいては、記録動作の開始時に、直前まで記録動作をおこなっていない状態の用紙に搬送力が加えられると、ロール状に巻回された状態の用紙の自重による慣性力が作用し、用紙に対して当該用紙を直線状に突っ張らせるように引っ張る力が作用する。用紙に対してこのような引っ張る力が作用すると、記録位置が正規の位置からずれるなどの記録不良が発生する場合がある。
【０００３】
この対策として、従来、用紙を搬送する搬送経路の途中に、用紙にかかる上記のような衝撃（慣性力）をやわらげるダンパー機構を設けたプリンタがあった。具体的には、従来、たとえば、ロール状に巻回された状態の用紙の軸上に設けられた軸受部ローラと当該軸受部ローラに従動して回転する従動回転ローラとの間にストッパローラを設け、当該ストッパローラが一端に設けられたアームの他端に、搬送経路中の用紙に対して全幅にわたって接する長さのローラを設けたダンパー機構を備えたプリンタに関する技術があった（たとえば、下記特許文献１を参照。）。
【０００４】
また、具体的には、従来、たとえば、搬送経路中の用紙に対して全幅にわたって接する長さのローラを保持するダンパホルダをフレームに対して回動可能に設け、用紙の装着作業などに際してはダンパホルダを回動させて搬送経路から退避させた状態で係止するストッパを備えたプリンタに関する技術があった（たとえば、下記特許文献２を参照。）。
【０００５】
また、具体的には、従来、たとえば、搬送経路中の用紙に対して全幅にわたって接する長さのダンパーローラの両端を、用紙に対して接離する方向に揺動可能に設けられたダンパープレートに形成した長孔に嵌め込み、ダンパーローラを長孔内で変位させることによって用紙の張力を吸収するとともに、ダンパープレートを揺動させることにより用紙の張力を吸収するようにしたプリンタに関する技術があった（たとえば、下記特許文献３を参照。）。
【０００６】
また、具体的には、従来、たとえば、用紙の搬送方向と直交する方向に起伏自在に取り付けられて用紙経路を横切るに十分な長さのセンサホルダに、搬送経路中の用紙に対して全幅にわたって接するテンションローラを回動可能に支持するテンションホルダを備えたダンパー機構を一体的に設けたプリンタに関する技術があった（たとえば、下記特許文献４を参照。）。
【先行技術文献】
【特許文献】
【０００７】
【特許文献１】特開平８−１５１１４９号公報
【特許文献２】特開２００５−２３８７５２号公報
【特許文献３】特開２０００−１６６５１号公報
【特許文献４】特開２００７−８０２６号公報
【発明の概要】
【発明が解決しようとする課題】
【０００８】
しかしながら、上述した特許文献１〜４に記載された従来の技術は、搬送経路中の用紙に対して全幅にわたって接する長さのローラにより衝撃（慣性力）をやわらげるようにしているため、ローラを回動可能に支持する機構によりプリンタの構成が複雑化するという問題があった。
【０００９】
また、上述した特許文献１〜３に記載された従来の技術は、衝撃（慣性力）をやわらげるために用紙に接するローラが、搬送経路中の用紙に対して全幅にわたって接する長さとされている。ロール状に巻回された状態で外周側となる面が記録面となるいわゆる外巻きの用紙を用いる場合に、ローラの下側に用紙を引き回す作業が煩わしいという問題があった。
【００１０】
これに対し、上述した特許文献４に記載された従来の技術は、センサホルダとともにテンションホルダを起立させることにより用紙経路を開放することができるが、高精度な検出が要求される用紙センサを搭載するセンサホルダにダンパー機構を一体的に設けているため用紙の位置検出にかかる十分な精度を確保することが難しい。
【００１１】
この対策として、仮に、特許文献４に記載された従来の技術によるプリンタにおいて、センサホルダと、テンションローラを回転可能な状態で保持するテンションホルダを備えたダンパー機構とを別体とする場合、構成が複雑化してしまう。
【００１２】
この発明は、上述した従来技術による問題点を解消するため、搬送経路に対する作業に際して作業者に負担をかけることなく、重量が大きい大径ロール紙を用いる場合にも用紙の慣性力に起因する記録位置のずれなどの記録不良の発生を抑制し、良好な記録品質を確保することができるプリンタを提供することを目的とする。
【課題を解決するための手段】
【００１３】
上述した課題を解決し、目的を達成するため、この発明にかかるプリンタは、ロール状に巻回された長尺状の用紙を長さ方向に沿って外周側から引き出し可能に保持する用紙保持部と、前記用紙保持部から引き出された用紙に対して記録動作をおこなう記録部と、前記用紙保持部と前記記録部との間に設けられて前記用紙の幅方向に延出し、当該用紙保持部から当該記録部へ至る搬送経路中を搬送される用紙に対して当接し、当該当接する位置において前記搬送される用紙を屈曲させるダンパーシャフトと、一端がプリンタ本体に設けられて、他端側が上下方向に弾性的に揺動可能な第１のダンパーアームと、を備え、前記ダンパーシャフトが、長さ方向の一端において前記第１のダンパーアームの他端側に対して回動可能に連結されており、前記第１のダンパーアームに対して回動することにより、前記搬送経路を外部に開放することを特徴とする。
【００１４】
また、この発明にかかるプリンタは、上記の発明において、前記用紙の幅方向に沿って前記搬送経路を間にして前記第１のダンパーアームに対向配置され、一端部に上端が開放された溝部が形成され、他端部が前記プリンタ本体に設けられて、当該一端部が上下方向に弾性的に揺動可能な第２のダンパーアームを備え、前記ダンパーシャフトの一端が、当該ダンパーシャフトにおける長さ方向の他端を前記プリンタ本体より上方に移動させるように前記第１のダンパーアームの他端に対して回動可能に連結され、前記ダンパーシャフトの他端が、当該他端を前記溝部の上方から当該溝部に嵌合させることによって前記第２のダンパーアームによって支持されることを特徴とする。
【００１５】
また、この発明にかかるプリンタは、上記の発明において、前記記録部が、前記用紙に対して上側から記録動作をおこなうプリントヘッドと、当該プリントヘッドに対向配置されて当該プリントヘッドによる記録動作がおこなわれる前記用紙を下側から支持するプラテンと、を備えたことを特徴とする。
【発明の効果】
【００１６】
この発明にかかるプリンタによれば、搬送経路に対する作業に際して作業者に負担をかけることなく、重量が大きい大径ロール紙を用いる場合にも用紙の慣性力に起因する記録位置のずれなどの記録不良の発生を抑制し、良好な記録品質を確保することができるという効果を奏する。
【図面の簡単な説明】
【００１７】
【図１】この発明にかかる実施の形態のプリンタの外観を示す説明図である。
【図２】プリンタ本体を示す説明図である。
【図３】ダンパー機構を示す説明図（その１）である。
【図４】ダンパー機構を示す説明図（その２）である。
【図５】ダンパー機構を示す説明図（その３）である。
【発明を実施するための形態】
【００１８】
以下に添付図面を参照して、この発明にかかるプリンタの好適な実施の形態を詳細に説明する。
【００１９】
まず、この発明にかかる実施の形態のプリンタの構成について説明する。図１は、この発明にかかる実施の形態のプリンタの外観を示す説明図である。図１においては、この発明にかかる実施の形態のプリンタを、設置状態における斜め上方から見た状態を示している。
【００２０】
図１において、この発明にかかる実施の形態のプリンタ１００は、中空の長方体形状をなすハウジング１０１を備えている。ハウジング１０１は、上面に開口を備えて略箱形形状をなす下側ハウジング１０１ａと、下側ハウジング１０１ａの開口を開放可能に閉塞する上側ハウジング１０１ｂと、を備えている。
【００２１】
上側ハウジング１０１ｂは、下面に開口を備え、当該開口を下側ハウジング１０１ａの開口に対向させた状態で下側ハウジング１０１ａの開口を閉塞する。上側ハウジング１０１ｂは、プリンタ１００の背面側（図１における紙面右側）において、下側ハウジング１０１ａに軸支されることにより、下側ハウジング１０１ａに対して回動可能に連結されている。
【００２２】
ハウジング１０１は、上側ハウジング１０１ｂにより下側ハウジング１０１ａの開口を閉塞した状態において、上側ハウジング１０１ｂと下側ハウジング１０１ａとの内側にプリンタ本体（図２を参照）を収容する収容空間を形成する。また、ハウジング１０１は、上側ハウジング１０１ｂにより下側ハウジング１０１ａの開口を閉塞した状態において、ハウジング１０１の前面（図１における紙面左側）に、記録済みの記録媒体を排出する排出口１０２を形成する。排出口１０２は、上側ハウジング１０１ｂと下側ハウジング１０１ａとの境界部分に形成される。
【００２３】
ハウジング１０１の外表面において、当該ハウジング１０１（下側ハウジング１０１ａ）の前面には、操作パネル１０３が設けられている。操作パネル１０３は、各種の入力操作を受け付ける複数のボタン１０３ａと、プリンタ１００の状態などを表示する表示パネル１０３ｂと、を備えている。
【００２４】
表示パネル１０３ｂは、たとえば、プリンタ１００の電源が投入されて印刷待機状態になった場合や、プリンタ１００においてエラーが発生した場合、またはプリンタ１００が保持する用紙の残量が所定以下になった場合などに所定のメッセージを表示して、プリンタ１００の状態を報知する。表示パネル１０３ｂは、たとえば、液晶ディスプレイによって実現することができる。
【００２５】
図２は、プリンタ本体を示す説明図である。図２においては、上側ハウジング１０１ｂを取り外した状態のプリンタ本体を、図１におけるＡ−Ａ線で切断した断面を示している。図２において、プリンタ１００は、ハウジング１０１内に設けられたプリンタ本体２００を備えている。
【００２６】
プリンタ本体２００は、プリンタ本体２００における背面側において、記録対象とする記録媒体（用紙）２０１を、ロール状に巻回された状態で保持する用紙保持部２０２を備えている。記録対象とする記録媒体（用紙）２０１は、ロール状に巻回された状態の連続紙であってもよく、台紙の長手方向に沿ってラベルが複数配列されたラベル用紙であってもよい。
【００２７】
プリンタ本体２００は、用紙保持部２０２より前面側に設けられたヘッドユニット（図示を省略する）を備えている。ハウジング１０１の内側には、用紙保持部２０２からヘッドユニットを経由して排出口１０２へ至る搬送経路が形成される。用紙保持部２０２が保持するロール状に巻回された状態の用紙２０１は、プリンタ１００における記録動作に際して、長さ方向における外周側の端部から引き出されて、ヘッドユニットを経由して排出口１０２へ搬送される。
【００２８】
ヘッドユニットは、プリントヘッド（図示を省略する）を備えている。プリントヘッドは、たとえば、サーマル方式の記録動作をおこなう。サーマル方式の記録動作をおこなうプリントヘッドは、たとえばプリンタ１００の幅方向（用紙２０１の搬送方向に直交する方向）に沿ってライン状に配列された複数の発熱素子を備えている。
【００２９】
プリンタ１００は、サーマルヘッドにおける各発熱素子に対して選択的に通電し、各発熱素子を選択的に発熱させることによって記録動作をおこなう。ヘッドユニットは、サーマル方式の記録に代えて、他の記録方式によって記録をおこなうプリントヘッドを備えていてもよい。
【００３０】
ハウジング１０１内には、搬送経路（搬送経路中を搬送される用紙２０１）を間にしてプリントヘッドに対向配置されたプラテンが設けられている。プラテンは、プリンタ１００の幅方向を軸心方向とする略円柱形状をなす。プラテンは、記録動作に際してプリントヘッドによって表面（記録面）側から押圧力が加えられる用紙２０１を裏面側から支持する。プリントヘッドは、プラテンに当接する方向に付勢されている。この実施の形態においては、プリントヘッドおよびプラテンによって記録部を実現することができる。
【００３１】
プラテンの軸の一端には、図示を省略するギア列を介してモータ２０３が取り付けられている。ギア列は、モータ２０３の駆動力が伝達されることによって回転する。プラテンは、ギア列を構成するギアの回転にともなって回転する。プラテンは、回転することによって、搬送経路中の用紙２０１を、用紙保持部２０２側から排出口１０２側へ搬送する。
【００３２】
プリンタ本体２００において、プラテン（プラテンを駆動するモータ２０３）の下方には、プラテンを駆動するモータ２０３を駆動制御する制御基板などの、プリンタ１００が備える電気系統部品の一部が設けられている。プラテンの下方に設けられた電気系統部品は、図示を省略するケーブルを介して、プリントヘッドやモータ２０３などと電気的に接続されている。これにより、プラテンの下方に設けられた制御基板から、プラテンに設けられたプリントヘッドやモータ２０３などに対して制御信号を伝達し、当該プリントヘッドやモータなどを駆動することができる。
【００３３】
プリンタ１００は、図示を省略するインクリボンを支持するリボンユニット（図示を省略する）を備えていてもよい。リボンユニットは、記録動作に供される前のインクリボンを支持するリボン支持軸、記録動作後のインクリボンを巻き取るリボン巻き取り軸、および、リボン巻き取り軸を回転させるリボン軸駆動機構などによって構成することができる。
【００３４】
リボン軸駆動機構は、リボン巻き取り用のモータや当該モータの駆動力をリボン巻き取り軸に伝達する輪列、リボン支持軸やリボン巻き取り軸の回転を検出するリボン回転検出センサやリボンテンションセンサなどの各種センサ、およびモータや各種センサを駆動するリボン基板などによって構成することができる（いずれも図示を省略する）。リボンユニットは、リボン基板によってリボン軸駆動機構を駆動制御することにより、リボン支持軸が支持するインクリボンを繰り出し、繰り出したインクリボンをリボン巻き取り軸において巻き取る。
【００３５】
プリンタ本体２００は、ハウジング１０１内に設けられるボトムフレーム２０４を備えている。ボトムフレーム２０４は、所定厚さの金属製の板状部材を板金加工することによって形成されている。ボトムフレーム２０４には、一対のフレームを実現する、一対のシャフトペーパーガイド２０５が設けられている。
【００３６】
一対のシャフトペーパーガイド２０５は、ハウジング１０１内において、用紙保持部２０２の位置に設けられている。一対のシャフトペーパーガイド２０５は、プリンタ１００の幅方向に沿って対向配置されている。一対のシャフトペーパーガイド２０５は、用紙保持部２０２がロール状に巻回された状態の用紙２０１を保持している場合に、当該ロール状に巻回された状態の用紙２０１を間にして対向するように配置されている。
【００３７】
一対のシャフトペーパーガイド２０５の上端には、それぞれ、切り欠き部２０５ａが設けられている。切り欠き部２０５ａは、上側（図２における紙面上側の部分）が開放された矩形状をなしている。切り欠き部２０５ａは、用紙保持部２０２に収容されているロール状に巻回された状態の用紙２０１を、当該用紙保持部２０２から引き出し可能に保持するシャフト２０６を支持する。
【００３８】
シャフト２０６は、断面が多角形状（たとえば四角形状）をなす、棒状の部材によって実現することができる。シャフト２０６は、たとえばプラスチック材料などの絶縁材料を用いて形成されている。切り欠き部２０５ａは、一対のシャフトペーパーガイド２０５の上端部分の一部を、シャフト２０６の断面の外形状と略一致する大きさおよび形状で切り欠くことによって形成されている。
【００３９】
シャフト２０６は、一対のシャフトペーパーガイド２０５のそれぞれに設けられた切り欠き部２０５ａに両端を嵌め込むことによって、当該一対のシャフトペーパーガイド２０５に支持されている。シャフト２０６は、用紙保持部２０２に対して取り外し可能に取り付けられる。シャフト２０６は、用紙２０１の交換時などに用紙保持部２０２から取り外される。
【００４０】
用紙保持部２０２は、ロール状に巻回された状態の用紙２０１の巻き芯の内側に挿入された状態のシャフト２０６を、一対のシャフトペーパーガイド２０５によって支持することにより、当該ロール状に巻回された長尺状の用紙２０１を、長さ方向における外周側の端部から引き出すことが可能な状態で保持する。シャフト２０６は、巻き芯の内側に挿入された状態であって、巻き芯に固定されていないため、用紙２０１の巻き芯をシャフト２０６周りに回転可能な状態で支持する。これにより、用紙２０１の巻き芯をシャフト２０６周りに回転させることにより、用紙保持部２０２に収容された用紙２０１を、長さ方向における外周側の端部から引き出すことができる。
【００４１】
一対のシャフトペーパーガイド２０５は、それぞれ、所定厚さの金属製の板状部材に対して板金加工を施すことによって形成されている。一対のシャフトペーパーガイド２０５を、それぞれ所定厚さの金属製の板状部材によって形成することにより、ロール状に巻回された状態の用紙２０１の重量が大きい大径ロール紙である場合にも、当該用紙２０１の巻き芯の内側に挿入されたシャフト２０６の両端を安定かつ確実に支持することができる。
【００４２】
プリンタ本体２００は、プリンタ１００が備える各部を駆動制御する電気系統部品を備えている。電気系統部品は、制御基板、電源基板、インターフェイス基板、中継基板、リボン基板、各種のケーブル（いずれも図示を省略する）などを含んでいる。
【００４３】
制御基板は、シャフトペーパーガイド２０５の外側のボトムフレーム２０４に固定されたブラケット（図示を省略する）に固定されて立設されている。制御基板は、プリントヘッドの通電制御、プラテンを駆動するモータ２０３の駆動制御などをおこなうＣＰＵ、メモリなどを備えている。
【００４４】
制御基板には、電源基板が接続されている。電源基板は、ヘッドユニット２０３の下方に配置されている。電源基板は、当該電源基板が備えるコネクタに接続されるケーブルを介して、制御基板と接続されている。電源基板は、電源基板と制御基板とを接続するケーブルを介して、制御基板に電源を供給する。
【００４５】
また、制御基板には、インターフェイス基板が接続されている。インターフェイス基板は、外部機器と接続されるインターフェイスコネクタを備えている。インターフェイスコネクタは、下側ハウジング１０１ａに設けられた開口を介して、ハウジング１０１ａの背面側から外部に露出した状態で取り付けられている。
【００４６】
中継基板は、用紙２０１の搬送経路において、用紙保持部２０２と、プリントヘッドおよびプラテンを備えたヘッドユニットとの間であって、用紙保持部２０２より図２における紙面奥側に設けられている。中継基板は、ボトムフレーム２０４に固定された、図示を省略するブラケットの上に固定されている。中継基板は、図示を省略するケーブルを介して制御基板に接続されている。
【００４７】
プリンタ１００が、リボンユニットを備えている場合、当該リボンユニットが備えるリボン基板と制御基板とを接続し、制御基板によって、リボンユニットが備えるリボン支持軸やリボン巻き取り軸を駆動するモータの駆動制御をおこなってもよい。この場合、リボン基板は、制御基板と直接接続されるものに限らず、中継基板などを介して制御基板に接続されていてもよい。また、この場合、リボン基板は、制御基板から供給される電源と制御基板から出力される制御信号を、中継基板を介して受け付けることによって、制御基板によって駆動される。
【００４８】
プリンタ本体２００は、ダンパー機構２０７を備えている。ダンパー機構２０７は、一対のシャフトペーパーガイド２０５のそれぞれに設けられたダンパーアーム２０８（２０８ａ、２０８ｂ）を備えている。ダンパーアーム２０８（２０８ａ、２０８ｂ）は、それぞれ、排出口１０２よりも用紙保持部２０２側に設けられた支点を中心として、シャフトペーパーガイド２０５がなす面に沿って回動可能に設けられている。
【００４９】
ダンパーアーム２０８のうち、一方のダンパーアーム２０８ａは、ダンパーシャフト（図３、図４および図５における符号３０１を参照）の一端を支持する。ダンパーシャフトは、ダンパーアーム２０８ａに対する連結位置を支点として、ダンパーアーム２０８ａに対して回動可能に設けられている（図３、図４および図５を参照）。ダンパーシャフトは、搬送経路中であって用紙保持部２０２とプラテン（プラテンを駆動するモータ２０３）との間に位置付けられている。
【００５０】
用紙保持部２０２が保持する用紙２０１が、ロール状に巻回された状態で外周側となる面が記録面となるいわゆる外巻きの用紙である場合、当該用紙２０１は、搬送経路中において、ダンパーシャフトに対して、図２における紙面下側から用紙２０１に当接するように案内される。また、用紙保持部２０２が保持する用紙２０１が、ロール状に巻回された状態で内周側となる面が記録面となるいわゆる内巻きの用紙である場合、当該用紙２０１は、搬送経路において、ダンパーシャフトに対して、図２における紙面上側から用紙２０１に当接するように案内される。用紙２０１は、搬送経路において、用紙保持部２０２とヘッドユニットとの間でダンパーシャフトに当接し、当接する位置において屈曲されるように案内される。
【００５１】
図３、図４および図５は、ダンパー機構２０７を示す説明図である。図３においては、図２におけるＢ−Ｂ断面を示している。図４においては、図３に示したダンパーシャフトを回動させた状態を示している。図５においては、ダンパー機構２０７を斜め上方から見た状態を示している。
【００５２】
図３、図４および図５において、ダンパー機構２０７が備えるダンパーシャフト３０１は、プリンタ１００の幅方向を軸心方向とする、断面が円形の棒形状をなしている。ダンパーシャフト３０１は、軸心方向の一端側において、ダンパーアーム２０８ａに連結されている。上記のように、ダンパーシャフト３０１は、ダンパーアーム２０８ａに対する連結位置３０２を支点として、ダンパーアーム２０８ａに対して回動可能に設けられている。
【００５３】
ダンパーアーム２０８のうち、他方のダンパーアーム２０８ｂは、ダンパーシャフト３０１の他端を支持する溝部３０３が設けられている。溝部３０３は、上側（図３、図４および図５における紙面上側の部分）が開放された矩形状をなし、ダンパーシャフト３０１の他端の上方からの挿入を受け付ける。溝部３０３は、ダンパーシャフト３０１の他端に下側、前面側および背面側の三方から当接することによって、当該ダンパーシャフト３０１の他端を支持する。
【００５４】
ダンパー機構２０７は、ダンパーアーム２０８のうち、一方のダンパーアーム２０８ａを、用紙２０１に当接する方向に付勢する付勢部材５０１を備えている。付勢部材５０１は、たとえば、ダンパーシャフト３０１を図２における紙面上側から下側に圧縮される圧縮コイルバネによって実現することができる。あるいは、付勢部材５０１は、ダンパーシャフト３０１を図２における紙面下側から上側に圧縮される圧縮コイルバネによって実現してもよい。あるいは、その両方を備えていてもよい。
【００５５】
ダンパー機構２０７は、付勢部材５０１により付勢されるダンパーアーム２０８ａおよびダンパーアーム２０８ｂによりダンパーシャフト３０１を支持し、シャフトペーパーガイド２０５がなす面に沿って回動することによって、ダンパーシャフト３０１を、搬送経路における用紙２０１に対して接離する方向に揺動させる。
【００５６】
記録動作を開始するとき、記録動作をおこなっていない状態の用紙２０１にプラテンの搬送力が加えられると、用紙保持部２０２においてロール状に巻回された状態の用紙２０１の自重による慣性力によって、用紙２０１はプラテンと用紙保持部２０２との間で直線状に突っ張るように引っ張られる。すなわち、用紙保持部２０２においてロール状に巻回された状態の用紙２０１の自重により、停止した状態を維持しようとする慣性力が作用している状態の用紙２０１に対して、プラテンによる搬送力が加えられるため、用紙２０１に対して、瞬間的に、用紙保持部２０２側が停止しているにもかかわらずプラテン側ほど排出口１０２に向かって搬送される力が加えられる。これにより、用紙２０１はプラテンと用紙保持部２０２との間で直線状に突っ張るように引っ張られる。
【００５７】
ダンパー機構２０７は、ダンパーシャフト３０１が用紙２０１に当接する方向にダンパーアーム２０８を付勢する付勢部材５０１を備えているため、用紙２０１が直線状に突っ張るように引っ張られると、当該用紙２０１に対してダンパーシャフト３０１を弾性的に当接させ、当該用紙２０１を屈曲させる方向に付勢する。これにより、外巻き用紙であるか内巻き用紙であるかにかかわらず、用紙２０１の突っ張りを緩衝し、用紙２０１にかかる衝撃（慣性力）をやわらげることができ、用紙２０１を精度よく搬送するとともに、用紙２０１の送り速度を一定にすることができる。
【００５８】
用紙保持部２０２が保持する用紙２０１が内巻きの用紙である場合、用紙２０１は、上記のように、搬送経路中において、ダンパーシャフトに対して、図２における紙面上側から用紙２０１に当接するように案内する。具体的には、内巻きの用紙を用いる場合、まず、下側ハウジング１０１ａに対して上側ハウジング１０１ｂを回動させ、ハウジング１０１の内側を開放する。
【００５９】
つぎに、ダンパーシャフト３０１の軸心方向がプリンタ１００の幅方向と平行になるように、当該ダンパーシャフト３０１を用紙保持部２０２とプラテンとの間に位置付ける。その後、ロール状に巻回された状態の用紙２０１を用紙保持部２０２の上方からセットするとともに、ロール状に巻回された状態の用紙２０１を外周側の端部を引き出し、引き出した用紙２０１の先端を排出口１０２に位置付けた状態で上側ハウジング１０１ｂを閉じる。
【００６０】
このとき、ダンパーシャフト３０１の他端を溝部３０３に嵌合させ、ダンパーシャフト３０１の軸心方向がプリンタ１００の幅方向と平行になるようにしておく。これにより、引き出した用紙２０１をダンパーシャフト３０１の上に乗せるよう引き回すだけで、用紙２０１を容易にセットすることができる。
【００６１】
一方、用紙保持部２０２が保持する用紙２０１が外巻きの用紙である場合、用紙２０１は、上記のように、搬送経路中において、ダンパーシャフト３０１に対して、図２における紙面下側から用紙２０１に当接するように案内される。具体的には、外巻きの用紙を用いる場合、まず、下側ハウジング１０１ａに対して上側ハウジング１０１ｂを回動させ、ハウジング１０１の内側を開放する。
【００６２】
つぎに、ダンパーアーム２０８ａに対してダンパーシャフト３０１を回動させ、ダンパーシャフト３０１の軸心方向が鉛直方向と略平行となるようにする。そして、ロール状に巻回された状態の用紙２０１を用紙保持部２０２の上方からセットするとともに、ロール状に巻回された状態の用紙２０１を外周側の端部を引き出し、引き出した用紙２０１の先端を排出口１０２に位置付けた状態で上側ハウジング１０１ｂを閉じる。
【００６３】
その後、ダンパーアーム２０８ａに対してダンパーシャフト３０１を回動させ、ダンパーシャフト３０１の軸心方向がプリンタ１００の幅方向と平行になるように、当該ダンパーシャフト３０１を用紙保持部２０２とプラテンとの間に位置付ける。このように、ダンパーアーム２０８ａに対して回動可能なダンパーシャフト３０１とすることにより、外巻きの用紙をセットする場合であっても、内巻きの用紙をセットする場合と同等の作業負担で、容易かつ確実に用紙２０１をセットすることができる。
【００６４】
以上説明したように、この発明にかかる実施の形態のプリンタ１００は、ロール状に巻回された長尺状の用紙２０１を長さ方向に沿って外周側から引き出し可能に保持する用紙保持部２０２と、用紙保持部２０２から引き出された用紙２０１に対して記録動作をおこなう記録部を実現するプリントヘッドおよびプラテンと、を備えている。
【００６５】
また、この発明にかかる実施の形態のプリンタ１００は、用紙保持部２０２と記録部との間に設けられて用紙２０１の幅方向に延出し、当該用紙保持部２０２から当該記録部へ至る搬送経路中を搬送される用紙２０１に対して当接し、当該当接する位置において搬送される用紙２０１を屈曲させるダンパーシャフト３０１と、一端がプリンタ本体２００に設けられて、他端側が上下方向に弾性的に揺動可能な第１のダンパーアーム２０８ａと、を備えている。
【００６６】
そして、この発明にかかる実施の形態のプリンタ１００は、ダンパーシャフト３０１が、長さ方向の一端において第１のダンパーアーム２０８ａの他端側に対して回動可能に連結されており、第１のダンパーアーム２０８ａに対して回動することにより、搬送経路を外部に開放することを特徴としている。
【００６７】
この発明にかかる実施の形態のプリンタ１００によれば、第１のダンパーアーム２０８ａに対してダンパーシャフト３０１を回動させるだけで容易に搬送経路を開放することができる。これにより、第１のダンパーアーム２０８ａによって支持されるダンパーシャフト３０１を設けることにより、記録動作に際して用紙２０１に弛みがなくなった瞬間に当該用紙２０１にかかる衝撃（慣性力）をやわらげ、用紙２０１の送り速度を一定にすることができる。
【００６８】
また、この発明にかかる実施の形態のプリンタ１００によれば、搬送経路中に、当該搬送経路中を搬送される用紙２０１に上側から当接するダンパーシャフト３０１を設けた場合にも、ダンパーシャフト３０１を回動させて搬送経路を開放することにより、用紙保持部２０２が保持する用紙２０１を引き出してプリントヘッドとプラテンとの間にセットするなどの搬送経路に対する作業を容易かつ確実におこなわせることができる。
【００６９】
これにより、この発明にかかる実施の形態のプリンタ１００によれば、搬送経路に対する作業に際して作業者に負担をかけることなく、重量が大きい大径ロール紙を用いる場合にも用紙２０１の慣性力に起因する記録位置のずれなどの記録不良の発生を抑制し、良好な記録品質を確保することができる。
【００７０】
さらに、この発明にかかる実施の形態のプリンタ１００によれば、ローラではなくシャフトを用いることによって、簡易な構成によって用紙２０１にかかる衝撃（慣性力）をやわらげることができる。
【００７１】
また、この発明にかかる実施の形態のプリンタ１００は、用紙２０１の幅方向に沿って搬送経路を間にして第１のダンパーアーム２０８ａに対向配置され、一端部に上端が開放された溝部３０３が形成され、他端部がプリンタ本体２００に設けられて、当該一端部が上下方向に弾性的に揺動可能な第２のダンパーアーム２０８ｂを備えている。
【００７２】
そして、この発明にかかる実施の形態のプリンタ１００は、ダンパーシャフト３０１の一端が、当該ダンパーシャフト３０１における長さ方向の他端をプリンタ本体２００より上方に移動させるように第１のダンパーアーム２０８ａの他端に対して回動可能に連結され、ダンパーシャフト３０１の他端が、当該他端を溝部３０３の上方から当該溝部３０３に嵌合させることによって第２のダンパーアーム２０８ｂによって支持されることを特徴としている。
【００７３】
この発明にかかる実施の形態のプリンタ１００によれば、第１のダンパーアーム２０８ａの他端に対して一端が固定されたダンパーシャフト３０１の他端を、溝部３０３の上方から当該溝部３０３に嵌合させるだけの容易な作業でダンパーシャフト３０１の両端を固定することができる。
【００７４】
また、この発明にかかる実施の形態のプリンタ１００によれば、プリンタ本体２００に一端が固定されたダンパーシャフト３０１の他端を、簡易な構成によって支持することができる。そして、ダンパーシャフト３０１の両端を固定することにより当該ダンパーシャフト３０１を安定して支持することができる。
【００７５】
これにより、搬送経路中に、当該搬送経路中を搬送される用紙に上側から当接するダンパーシャフト３０１を設ける場合にも、搬送経路に対する作業を容易かつ確実におこなわせるとともに、用紙２０１の慣性力に起因する記録位置のずれなどの記録不良の発生を確実に抑制することができる。
【００７６】
また、この発明にかかる実施の形態のプリンタ１００によれば、ダンパーシャフト３０１の一端を第１のダンパーアーム２０８ａによって支持し、ダンパーシャフト３０１の他端を第２のダンパーアーム２０８ｂによって支持することによって、ダンパーシャフト３０１の両端を固定することにより、記録動作に際して用紙２０１に弛みがなくなった瞬間に当該用紙２０１にかかる衝撃（慣性力）を確実にやわらげ、用紙２０１の送り速度を精度よく一定にすることができる。
【００７７】
そして、これにより、搬送経路に対する作業に際して作業者に負担をかけることなく、重量が大きい大径ロール紙を用いる場合にも用紙２０１の慣性力に起因する記録位置のずれなどの記録不良の発生を確実に抑制し、良好な記録品質を確保することができる。
【００７８】
また、この発明にかかる実施の形態のプリンタ１００は、記録部は、前記用紙に対して上側から記録動作をおこなうプリントヘッドと、当該プリントヘッドに対向配置されて当該プリントヘッドによる記録動作がおこなわれる用紙２０１を下側から支持するプラテンと、を備えたことを特徴としている。
【００７９】
この発明にかかる実施の形態のプリンタ１００によれば、巻回されていた状態において外周側となる面に対する記録動作を受け付ける、いわゆる外巻きの用紙２０１を用いる場合に、搬送経路に対する作業に際して作業者に負担をかけることなく、用紙２０１の慣性力に起因する記録位置のずれなどの記録不良の発生を抑制し、良好な記録品質を確保することができる。
【産業上の利用可能性】
【００８０】
以上のように、この発明にかかるプリンタは、ロール状に巻回された長尺状の用紙を記録対象とするプリンタに有用であり、特に、重量が大きい大径ロール紙を記録対象とするプリンタに適している。
【符号の説明】
【００８１】
１００  プリンタ
２０７  ダンパー機構
２０８、２０８ａ、２０８ｂ  ダンパーアーム
３０１  ダンパーシャフト
３０３  溝部
５０１  付勢部材
【図１】
2015193108.tif 000003
【図２】
2015193108.tif 000004
【図３】
2015193108.tif 000005
【図４】
2015193108.tif 000006
【図５】
2015193108.tif 000007